(57)【特許請求の範囲】
【請求項１】
所定水位以上の水を外部へ排出する溢水管が設けられた貯水槽用逆止弁において、
溢水管と排出管を接続する管本体部と、
前記管本体部の側部からやや斜め上方に突出するように接続されている検出管部と、
前記検出管部に接続され、下方に流出口が設けられたＬ字型屈曲部と、
前記Ｌ字型屈曲部の水平部に設けられ、検出電極を上下動させることにより、逆流水位を検出できる逆流水位検出部と、
とから少なくとも構成されていることを特徴とする貯水槽用逆止弁。
【請求項２】
前記検出管部には、前記管本体部側から前記検出管部側へ跳ねる水を、前記管本体部側へ戻す跳ね水阻止手段が設けられていることを特徴とする請求項１に記載された貯水槽用逆止弁。
【請求項３】
前記逆流水位検出部には、前記逆流水位を検出する逆流水を溜める水溜部が設けられていることを特徴とする請求項１に記載された貯水槽用逆止弁。
【請求項４】
前記水溜部には、逆流水を排出させる水抜き手段が設けられていることを特徴とする請求項３に記載された貯水槽用逆止弁。
【請求項５】
前記Ｌ字型屈曲管部の流出口は、防虫網で覆われていることを特徴とする請求項１に記載された貯水槽用逆止弁。
【請求項６】
所定水位以上の水を外部へ排出する溢水管が設けられた貯水槽用逆止弁において、
溢水管と排出管を接続する管本体部と、
前記管本体部内に収容されたフロートと、
前記フロートの上下動を案内する案内管と、
前記フロートとともに上下動する被検出体と、
前記案内管内に配設され、前記被検出体の移動する位置によって逆流水位を検出する逆流水位検出部と
とから構成されていることを特徴とする貯水槽用逆止弁。
【請求項７】
前記逆流水位検出部は、前記案内管の下端を閉塞するキャップの前記案内管内へ挿入する長さを変化させることにより、逆流検出水位を調整できることを特徴とする請求項６に記載された貯水槽用逆止弁。
【発明の詳細な説明】
【０００１】
【発明の属する技術分野】
この発明は、水（上水）を貯える貯水槽、および、この貯水槽内へ溢水などが逆流して流入しないようにするための貯水槽用逆止弁に関するものである。
【０００２】
【従来の技術】
図６は従来の貯水槽の一例を示す外観図である。
【０００３】
図６において、１は基礎、２は基礎１上に設置された貯水槽を示し、この貯水槽２は、図示を省略した供給管を介して供給される水（上水）を貯え、図示を省略した給水口から給水管を介し、給水ポンプの動力によって給水するものである。
３は貯水槽２の溢水口２ｏに流入口３ｉ側が接続された溢水管、４は溢水管３の流出口３ｏを覆う防虫網を示す。
５は排水管を示し、例えば図示を省略した排水槽または排水溝に接続されている。
【０００４】
このように構成された貯水槽２への貯水について説明する。
まず、図示を省略した供給管を介して貯水槽２内へ水を供給する。
そして、貯水槽２内への給水により、貯水槽２内の水位が所定水位、例えば溢水口２ｏよりも少し下側の位置（給水停止水位）まで上昇すると、例えば図示を省略したボールタップのフロートが水位とともに上昇することにより、供給管の流出口をボールタップの弁が閉じるので、貯水槽２内への給水が停止される。
次に、貯水槽２の水が使用によって減少すると、ボールタップのフロートが水位とともに下降する。
そして、水位が給水開始水位まで下降すると、供給管の流出口をボールタップの弁が開けるので、上述したように、貯水槽２内への給水が開始される。
【０００５】
しかし、ボールタップが故障すると、水位が給水停止水位まで上昇しても、供給管の流出口をボールタップの弁で閉じることができないので、水位が溢水口２ｏまで上昇すると、溢水口２ｏから溢れ出た水は、溢水管３を介して排水管５へと流れ、排水槽内に貯えられたり、排水溝へ排水される。
【０００６】
【発明が解決しようとする課題】
この貯水槽２を建物の最下階である地下室内に配置した場合、上述したように、溢水口２ｏから水が溢れ続け、例えば排水ポンプが故障していると、排水槽がいっぱいになって地下室内に水が溢れ、または、洪水などによって地下室内に浸水し、地下室内が水（汚水）でいっぱいになることにより、地下室内の水（汚水）が溢水管３を逆流して溢水口２ｏから貯水槽２内へ流入し、貯水槽２内の水を汚染するという不都合がある。
【０００７】
この発明は、上記したような不都合を解消するためになされたもので、溢水口から溢れ出た水が溢水管を逆流して流入しないようした貯水槽、および、この貯水槽内へ溢水などが逆流して流入しないようにする貯水槽用逆弁を提供するものである。
【０００８】
【課題を解決するための手段】
この発明は、所定水位以上の水を外部へ排出する溢水管が設けられた貯水槽において、溢水管に、貯水槽用逆止弁を設けたものである。
また、他の発明は、貯水槽内に供給される所定水位以上の水を外部へ排出する溢水管に管本体部を接続する貯水槽用逆止弁であって、逆流水位検出部を有するものである。
【０００９】
【発明の実施の形態】
以下、この発明の実施形態を図に基づいて説明する。
図１はこの発明の一実施形態である貯水槽を示す外観図、図２は図１に示した貯水槽用逆止弁の非作動状態を示す部分断面図、図３は図２に示した貯水槽用逆止弁の作動状態を示す部分断面図であり、図６と同一または相当部分に同一符号を付して説明を省略する。
【００１０】
これらの図において、１１は溢水管３に配設された貯水槽用逆止弁を示し、管本体部１２と、この管本体部１２に配設された止水パッキン１５と、管本体部１２内に配設され、浮上して止水パッキン１５に当接することによって止水する球状のフロート１６と、管本体部１２に設けられた検出管部１７と、この検出管部１７に設けられた逆流水位検出部２０と、管本体部１２側から検出管部１７側へ跳ねる水を、管本体部１２側へ戻す跳ね水阻止手段２９と、検出管部１７に設けられ、逆流水位検出部２０で検出する逆流水を溜める水溜部３０と、この水溜部３０内の逆流水を排出させる水抜き手段としてのドレンプラグ３１と、検出管部１７の流出口（１９ｏ）を覆う防虫網３２とで構成されている。
【００１１】
上記した管本体部１２は、本体部１３と、この本体部１３の接続フランジ部分１３ｕ，１３ｄに取り付けられ、内周に、溢水管３に螺合する雌ねじ１４ａが設けられた接続フランジ部分１４Ｕ，１４Ｄとで構成されている。
そして、本体部１３は、球状をした筒部分１３ａと、この筒部分１３ａの下側内周に所定間隔、例えば９０度分割で連設された、フロート１６の落下を防止する落下防止リブ１３ｂと、筒部分１３ａに連通する検出管部１７の上側を塞ぐように垂下する遮断壁１３ｃと、筒部分１３ａの上下端の外周に連設され、接続フランジ部分１４Ｕ，１４Ｄが取り付けられる接続フランジ部分１３ｕ，１３ｄとで構成されている。
【００１２】
なお、止水パッキン１５は、両接続フランジ部分１３ｕ，１４Ｕに挟持されている。
そして、フロート１６は、比重が軽くて浮力があり、止水効果のある、例えば合成樹脂製、合成ゴム製としたり、合成樹脂製、合成ゴム製の弁体としてもよい。
【００１３】
次に、検出管部１７は、本体部１３から横へ突出させて連設された傾斜管部１８と、この傾斜管部１８の接続フランジ部分１８ａに接続フランジ部分１９ａが接続されたＬ字状の屈曲管部１９とで構成されている。
そして、傾斜管部１８は、本体部１３に上昇するように連設され、先端に接続フランジ部分１８ａが設けられるとともに、水平部分の上側に、後述する検出電極２６が貫通する孔１９ｅが設けられている。
そして、屈曲管部１９には、水平部分の内周下側に水溜部３０を形成する仕切壁１９ｂ，１９ｃが設けられ、接続フランジ部分１９ａと反対側の流出口１９ｏの内周に雌ねじ１９ｄが設けられている。
さらに、屈曲管部１９には、水溜部３０に連通するようにドレンプラグ３１が螺合し、流出口１９ｏを覆うように防虫網３２が取り付けられている。
【００１４】
次に、逆流水位検出部２０は、屈曲管部１９の水平部分の外周に取付ねじ２２で取り付けられ、検出電極２６が貫通する孔２１ａが設けられた取付台２１と、この取付台２１にボルト２４およびナット２５で取り付けられた絶縁支持基板２３と、この絶縁支持基板２３にナット２７で高さ調整可能に取り付けられ、孔１９ｅ，２１ａを貫通した下端が水溜部３０内に臨む２本の検出電極２６（図２および図３では、図面の前後方向に配設されている。）と、絶縁支持基板２３に着脱可能に取り付けられたキャップ２８とで構成されている。
なお、水跳ね阻止手段２９は、遮断壁１３ｃ、傾斜管部１８、仕切壁１９ｂで構成されるが、これらの少なくとも１つであってもよい。
【００１５】
次に、動作について説明する。
まず、図２に示す通常時の動作、すなわち、貯水槽２の溢水口２ｏから水が溢れた場合について説明すると、溢水は溢水管３内を流下するとともに、貯水槽用逆止弁１１の筒部分１３内を通過して排水管５内へと流れる。
このように筒部分１３内を溢水が流下するとき、筒部分１３の内面、落下防止リブ１３ｂ、フロート１６に衝突して跳ね返った溢水は、遮断壁１３ｃ、傾斜管部１８および／または仕切壁１９ｂの作用により、水溜部３０へ流入するのを阻止され、筒部分１３内へと戻される。
【００１６】
次に、異常時の動作、すなわち、汚水が溢水管３内を逆流する場合について説明すると、まず、汚水は、流出口３ｏから溢水管３内へ流入し始め、次に、流出口１９ｏから屈曲管部１９内へも流入し始める。
そして、流出口３ｏから溢水管３内へ流入した汚水がフロート１６を浮上させ始め、フロート１６が止水パッキン１５に圧接する手前の状態になると、流出口１９ｏから屈曲管部１９内へ流入した汚水は、仕切壁１９ｂよりも高さの低い仕切壁１９ｃを乗り越えて水溜部３０内へ流入し始める。
【００１７】
このように水溜部３０内に汚水が溜まると、この水溜部３０に垂下して臨んでいる検出電極２６が汚水によって導通するので、逆流水位検出部２０は、汚水が溢水管３内を逆流していることを検出した浸水検出信号を出力する。
また、流出口１９ｏから屈曲管部１９内へ流入した汚水が水溜部３０内に溜まり、逆流水位検出部２０が浸水検出信号を出力する状態になると、図３に示すように、流出口３ｏから溢水管３内へ流入した汚水は、フロート１６を止水パッキン１５へ押圧して止水するので、止水パッキン１５よりも上流の溢水管３内へ流入しなくなる。
【００１８】
そして、所定の処理を行う（措置をとる）ことによって汚水の水位が下降し、止水パッキン１５よりも下流の汚水が流出口３ｏ，１９ｏから排出されても、水溜部３０内に汚水が残っているので、逆流水位検出部２０は浸水検出信号を出力し続ける。
そこで、ドレンプラグ３１を屈曲管部１９から取り外すと、水溜部３０内の汚水は排出され、検出電極２６を導通させる汚水がなくなるので、逆流水位検出部２０は浸水検出信号を出力しなくなる。
この状態で、ドレンプラグ３１を屈曲管部１９に取り付け、水溜部３０を閉塞する。
【００１９】
次に、逆流検出水位の調整について説明する。
まず、逆流水位検出部２０のキャップ２８を取り外す。
そして、検出電極２６に螺合させた２つのナット２７を緩め、検出電極２６を上下動させて絶縁支持基板２３の下側へ突出する長さ、すなわち、水溜部３０内へ先端が突入する長さ、または、水溜部３０から上側へ先端が離れる長さを調整した後、ナット２７で検出電極２６を絶縁支持基板２３に固定することにより、逆流検出水位（浸水検出水位）を調整することができる。
【００２０】
上述したように、溢水管３に貯水槽用逆止弁１１を設けたので、貯水槽２を地下室内に配置した場合、地下室内が汚水でいっぱいになっても、溢水管３を逆流して汚水が貯水槽２内に流入しなくなり、貯水槽２内の水が汚染されるのを防止することができる。
そして、貯水槽用逆止弁１１に逆流水位検出部２０を設けたので、汚水が逆流しているのを検出した浸水検出信号に基づいて所定の処理（措置）、例えば警報を発したり、予備の排水ポンプを作動させて汚水を排出させることができる。
【００２１】
また、管本体部１２に突出させて検出管部１７を設け、この検出管部１７に逆流水位検出部２０を設けたので、逆流水位検出部２０へ溢水を流さないようにできることにより、逆流水位検出部２０の誤作動を防止することができる。
さらに、検出電極２６を上下動させることにより、逆流検出水位を調整できる構成にしたので、貯水槽２の設置状況に応じて逆流検出水位を調整することができる。
【００２２】
そして、管本体部１２側から検出管部１７側へ跳ねる水を、管本体部１２側へ戻す跳ね水阻止手段２９を設けたので、逆流水位検出部２０の誤作動を一層確実に防止することができる。
また、検出管部１７に、逆流水位検出部２０で検出する逆流水を溜める水溜部３０を設けたので、逆流水が発生したことを保持させておくことができる。
さらに、水溜部３０内の逆流水を排出させるドレンプラグ３１を設けたので、逆流水が発生したことを保持させた状態を解除することができる。
【００２３】
そして、検出管部１７の流出口、すなわち、屈曲管部１９の流出口１９ｏを防虫網３２で覆ったので、流出口１９ｏから貯水槽２内へ虫などが入らなくなり、水質を良好に保つことができる。
また、フランジ部分１４Ｕ，１４Ｄに雌ねじ１４ａを設け、着脱可能にしたので、メンテナンス（点検）を容易に行うことができる。
【００２４】
なお、貯水槽用逆止弁１１において、仕切壁１９ｃをなくすことにより、汚水の水位低下とともに検出電極２６を汚水が導通させなくなるので、汚水の水位の低下とともに逆流水位検出部２０は浸水検出信号を出力しないようすることができる。
また、逆流水位が上昇することによって検出管部１７内に溜まるエアを、孔１９ｅ，２１ａを利用して排出させたが、エア抜き弁を検出管部１７に設けてもよい。
【００２５】
図４は貯水槽用逆止弁の他の例の非作動状態を示す部分断面図、図５は図４に示した貯水槽用逆止弁の作動状態を示す部分断面図である。
【００２６】
これらの図において、４１は溢水管３に配設される貯水槽用逆止弁を示し、管本体部４２と、この管本体部４２に配設された止水パッキン４５と、管本体部４２内に配設され、浮上して止水パッキン４５に当接することによって止水する球状のフロート４６と、管本体部４２内に設けられた逆流水位検出部４７とで構成されている。
【００２７】
上記した管本体部４２は、本体部４３と、この本体部４３の接続フランジ部分４３ｕ，４３ｄに取り付けられ、内周に、溢水管３に螺合する雌ねじ４４ａが設けられた接続フランジ部分４４Ｕ，４４Ｄとで構成されている。
なお、接続フランジ部分４４Ｕの雌ねじ４４ａは、上端から途中までしか設けられていない。
そして、本体部４３は、球状をした筒部分４３ａと、この筒部分４３ａの下側内周に所定間隔、例えば９０度分割で連設された、フロート４６の落下を防止する落下防止リブ４３ｂと、筒部分４３ａの上下端の外周に連設され、接続フランジ部分４４Ｕ，４４Ｄが取り付けられる接続フランジ部分４３ｕ，４３ｄとで構成されている。
【００２８】
なお、止水パッキン４５は、両接続フランジ部分４３ｕ，４４Ｕに挟持されている。
そして、フロート４６は、比重が軽くて浮力があり、止水効果のある、例えば合成樹脂製、合成ゴム製としたり、合成樹脂製、合成ゴム製の弁体としてもよく、後述する案内管４９が挿通される直線状の被案内穴（または被案内孔）４６ａが設けられている。
【００２９】
次に、逆流水位検出部４７は、フロート４６と、外周が接続フランジ部分４４Ｕの雌ねじ４４ａに螺合し、同心円上に、例えば４つの通水孔４８ａが設けられた板状の支持体４８と、この支持体４８の中心に、自身のフランジ４９ａとナット５０とで取り付けられ、被案内穴４６ａ内に入ってフロート４６の上下動を案内する案内管４９と、この案内管４９に案内され、フロート４６とともに上下動する、被検出体としてのマグネット５２を備えたリング５１と、案内管４９内に配設され、マグネット５２の移動する位置によって逆流検出水位を検出する検出部としての近接スイッチ５３と、案内管４９の下端を閉塞し、案内管４９内へ挿入する長さで近接スイッチ５３を逆流検出水位に位置させるキャップ５４とで構成されている。
なお、近接スイッチ５３は上下動可能に案内管４９内に収容され、近接スイッチ５３の配線は、所定の方法で貯水槽用逆止弁４１（または溢水管３）の外へ導出されている。
【００３０】
次に、動作について説明する。
まず、図４に示す通常時の動作、すなわち、貯水槽２の溢水口２ｏから水が溢れた場合について説明すると、溢水は溢水管３内を流下するとともに、貯水槽用逆止弁４１の通水孔４８ａ、筒部分１３内を通過して排水管５内へと流れる。
【００３１】
次に、異常時の動作、すなわち、汚水が溢水管３内を逆流する場合について説明すると、汚水は、流出口３ｏから溢水管３内へ流入し始める。
そして、流出口３ｏから溢水管３内へ流入した汚水がフロート４６を浮上させると、フロート４６は案内管４９に案内され、リング５１を持ち上げながら浮上する。
そして、図５に示すように、汚水は、フロート４６を止水パッキン４５へ押圧して止水するので、止水パッキン４５よりも上流の溢水管３内へ流入しなくなる。
【００３２】
このようにリング５１がフロート４６とともに上昇すると、フロート４６が止水パッキン４５に当接するまではマグネット５２が近接スイッチ５３から離れているので、近接スイッチ５３はオフ状態を維持するが、フロート４６が止水パッキン４５に当接すると、マグネット５２が近接スイッチ５３をオン状態にさせる位置に上昇するので、近接スイッチ５３がオン状態になり、浸水検出信号を出力する。
【００３３】
そして、所定の処理を行う（措置をとる）ことによって汚水の水位が下降し、止水パッキン４５よりも下流の汚水が流出口３ｏから排出されることにより、フロート４６およびリング５１が案内管４９に案内されて落下防止リブ４３ｂに支持される位置まで下降し、マグネット５２が近接スイッチ５３から離れるので、近接スイッチ５３はオフ状態になり、浸水検出信号を出力しなくなる。
【００３４】
次に、逆流検出水位の調整について説明する。
まず、図４の状態において、接合フランジ部分４３ｕを接合フランジ部分４４Ｕから取り外すことにより、案内管４９からフロート４６およびリング５１を取り外し、案内管４９を露出させる。
そして、キャップ５４を取り外した後、案内管４９内へ挿入する長さが所望長、すなわち、近接スイッチ５３の高さを所望長とするキャップ５４を選定し、この選定したキャップ５４で案内管４９の下端を閉塞することにより、近接スイッチ５３を所望長の高さに位置させる。
後は、接合フランジ部分４３ｕを接合フランジ部分４４Ｕに取り付けながら案内管４９をリング５１およびフロート４６の被案内穴４６ａに挿通させることにより、逆流検出水位の調整が完了する。
【００３５】
上述したように、この貯水槽用逆止弁４１においても、貯水槽用逆止弁１１と同様な効果を得ることができる。
そして、逆流水位検出部４７を管本体部４２内に設けたので、外側に出っ張るものがなく、コンパクトになる。
また、キャップ５４で逆流検出水位を調整する構成にしたので、簡単かつ確実に逆流検出水位を調整することができる。
【００３６】
なお、貯水槽用逆止弁４１において、フロート４６とリング５１とを一体に構成することにより、部品点数を削減することができる。
また、逆流検出水位を調整する場合、キャップ５４の案内管４９内へ挿入する長さで逆流検出水位を調整する以外に、単なるキャップとし、キャップと近接スイッチ５３との間にスペーサを挿入して逆流検出水位を調整してもよい。
【００３７】
上記した各実施形態では、貯水槽用逆止弁１１，４１の下側に溢水管３を接続し、溢水管３の流出口３ｏを防虫網４で覆ったが、貯水槽用逆止弁１１，４１の下側に溢水管３を接続せず、管本体部１２，４２の流出口、すなわち、接続フランジ部分１４Ｄ，４４Ｄの開口を防虫網４で覆っても、貯水槽２内へ虫などが入らなくなり、水質を良好に保つことができる。
【００３８】
【発明の効果】
以上のように、この発明の貯水槽によれば、溢水管に貯水槽用逆止弁を設けたので、貯水槽を地下室内に配置した場合、地下室内が汚水でいっぱいになっても、溢水管を逆流して汚水が貯水槽内に流入しなくなり、貯水槽内の水が汚染されるのを防止することができる。
そして、貯水槽用逆止弁に逆流水位検出部を設けたので、汚水が逆流しているのを検出した浸水検出信号に基づいて所定の処理（措置）、例えば警報を発したり、予備の排水ポンプを作動させて汚水を排出させることができる。
【００３９】
次に、この発明の貯水槽用逆止弁によれば、逆流水位検出部を設けたので、汚水が逆流しているのを検出した浸水検出信号に基づいて所定の処理（措置）、例えば警報を発したり、予備の排水ポンプを作動させて汚水を排出させることができる。
そして、管本体部に突出させて検出管部を設け、この検出管部に逆流水位検出部を設けたので、逆流水位検出部へ溢水を流さないようにできることにより、逆流水位検出部の誤作動を防止することができる。
さらに、検出電極を上下動させることにより、逆流検出水位を調整できる構成にしたので、貯水槽の設置状況に応じて逆流検出水位を調整することができる。
【００４０】
そして、管本体部側から検出管部側へ跳ねる水を、管本体部側へ戻す跳ね水阻止手段を設けたので、逆流水位検出部の誤作動を一層確実に防止することができる。
さらに、検出管部に、逆流水位検出部で検出する逆流水を溜める水溜部を設けたので、逆流水が発生したことを保持させておくことができる。
さらに、水溜部内の逆流水を排出させる水抜き手段を設けたので、逆流水が発生したことを保持させた状態を解除することができる。
そして、検出管部の流出口を防虫網で覆ったので、検出管部の流出口から貯水槽内へ虫などが入らなくなり、水質を良好に保つことができる。
【００４１】
また、逆流水位検出部を管本体部内に設けたので、外側に出っ張るものがなく、コンパクトになる。
そして、キャップで逆流検出水位を調整する構成にしたので、簡単かつ確実に逆流検出水位を調整することができる。
【図面の簡単な説明】
【図１】この発明の一実施形態である貯水槽を示す外観図である。
【図２】図１に示した貯水槽用逆止弁の非作動状態を示す部分断面図である。
【図３】図２に示した貯水槽用逆止弁の作動状態を示す部分断面図である。
【図４】貯水槽用逆止弁の他の例の非作動状態を示す部分断面図である。
【図５】図４に示した貯水槽用逆止弁の作動状態を示す部分断面図である。
【図６】従来の貯水槽の一例を示す外観図である。
【符号の説明】
１              基礎
２              貯水槽
２ｏ            溢水口
３              溢水管
３ｉ            流入口
３ｏ            流出口
４              防虫網
５              排水管
１１            貯水槽用逆止弁
１２            管本体部
１３            本体部
１３ａ          筒部分
１３ｂ          落下防止リブ
１３ｃ          遮断壁
１３ｕ，１３ｄ  接続フランジ部分
１４Ｕ，１４Ｄ  接続フランジ部分
１４ａ          雌ねじ
１５            止水パッキン
１６            フロート
１７            検出管部
１８            傾斜管部
１８ａ          接続フランジ部分
１９            屈曲管部
１９ａ          接続フランジ部分
１９ｂ，１９ｃ  仕切壁
１９ｄ          雌ねじ
１９ｅ          孔
１９ｏ          流出口
２０            逆流水位検出部
２１            取付台
２１ａ          孔
２２            取付ねじ
２３            絶縁支持基板
２４            ボルト
２５，２７      ナット
２６            検出電極
２８            キャップ
２９            跳ね水阻止手段
３０            水溜部
３１            ドレンプラグ（水抜き手段）
３２            防虫網
４１            貯水槽用逆止弁
４２            管本体部
４３            本体部
４３ａ          筒部分
４３ｂ          落下防止リブ
４３ｕ，４３ｄ  接続フランジ部分
４４Ｕ，４４Ｄ  接続フランジ部分
４４ａ          雌ねじ
４５            止水パッキン
４６            フロート
４６ａ          被案内穴
４７            逆流水位検出部
４８            支持体
４８ａ          通水孔
４９            案内管
４９ａ          フランジ
５０            ナット
５１            リング
５２            マグネット（被検出体）
５３            近接スイッチ（検出部）
５４            キャップ
【図１】
0004464566.tif 000002
【図２】
0004464566.tif 000003
【図３】
0004464566.tif 000004
【図４】
0004464566.tif 000005
【図５】
0004464566.tif 000006
【図６】
0004464566.tif 000007